(57)【要約】【課題】外壁の挙動に追従可能でありながら、外壁から間仕切壁への音、振動の伝達の防止と、隣室間における遮音性能の向上とを図ることができる外壁と間仕切壁との取り合い構造を提供すること。【解決手段】建物の外壁１と、厚み方向に空隙を隔てた状態で配置される一対の壁体２Ａを有する間仕切壁２との取り合い構造であって、前記外壁１の内側に左右に並ぶ状態で固定される一対の外壁側見切金物３と、該一対の外壁側見切金物３を左右両側から挟み、かつ前記外壁１から離間した位置に設けられ、前記壁体２Ａが固定される一対の間仕切側見切金物４と、前記一対の間仕切側見切金物４から前記外壁１に亘って設けられる一対のシール材５と、前記一対の外壁側見切金物３と前記一対の間仕切側見切金物４との間に配置される一対の弾性部材６とを備えた。【選択図】図１
2014163110.tif 000002
【特許請求の範囲】
【請求項１】
建物の外壁と、厚み方向に空隙を隔てた状態で配置される一対の壁体を有する間仕切壁との取り合い構造であって、
前記外壁の内側に左右に並ぶ状態で固定される一対の外壁側見切金物と、
該一対の外壁側見切金物を左右両側から挟み、かつ前記外壁から離間した位置に設けられ、前記壁体が固定される一対の間仕切側見切金物と、
前記一対の間仕切側見切金物から前記外壁に亘って設けられる一対のシール材と、
前記一対の外壁側見切金物と前記一対の間仕切側見切金物との間に配置される一対の弾性部材とを備えたことを特徴とする外壁と間仕切壁との取り合い構造。
【請求項２】
前記一対の間仕切側見切金物は各々、天井及び床に取り付けられた受け部材に対して、前記一対の外壁側見切金物よりも前記外壁から離間した位置において連結される連結部を有し、前記外壁側見切金物から前記連結部までの距離は、前記外壁から前記一対の間仕切側見切金物までの距離と同一かそれよりも大となっている請求項１に記載の外壁と間仕切壁との取り合い構造。
【請求項３】
一方の前記間仕切側見切金物の連結部は他方の前記間仕切側見切金物の連結部と重なった状態で前記受け部材に連結され、二つの連結部の間には弾性シートが挟まれている請求項２に記載の外壁と間仕切壁との取り合い構造。
【発明の詳細な説明】
【技術分野】
【０００１】
本発明は、例えば、建物の外壁と、厚み方向に空隙を隔てた状態で配置される一対の壁体を有する間仕切壁との取り合い構造に関する。
【背景技術】
【０００２】
従来、高層のホテル、オフィスビル等の建物の外壁にカーテンウォールを用い、間仕切壁を二重壁としたものがある。その一例を図５に示す。この図に示す外壁１は、インナースキン１Ａとアウタースキン１Ｂとを有するダブルスキンタイプのガラスカーテンウォールであり、同図の間仕切壁２は、乾式の二重壁である。そして、外壁１に取り付く見切金物５１と間仕切壁２との間にクリアランスＣを設けてある。
【０００３】
上記のような外壁１と間仕切壁２との取り合い構造は、見切金物５１と間仕切壁２との間に設けるクリアランスＣによって、外壁１の面外（室内）方向の挙動に追従可能となっており、耐久性等の向上が図られている。
【先行技術文献】
【特許文献】
【０００４】
【特許文献１】特開２０１０−１３８４７号公報
【発明の概要】
【発明が解決しようとする課題】
【０００５】
しかし、上記の取り合い構造では、間仕切壁２で仕切られた二つの居室空間Ｓ１、Ｓ２に跨って延びる見切金物５１が、隣室の音、振動を伝えてしまい、隣室間における遮音上の弱点となる。
【０００６】
また、上記の取り合い構造では、クリアランスＣとなる部分に設けられる一対のシール材５２、５２を経由する経路Ｒ１や、外壁１と見切金物５１との間に設けられる一対のシール材５３，５３を経由する経路Ｒ２における遮音は、各々一対のシール材５２，５３のみに頼ることになり、この点でも隣室間における十分な遮音性能が得られないという問題がある。
【０００７】
ここで、特許文献１には、吸音材や遮音材を設けることにより、ガラスカーテンウォールが振動することに起因して建物の内部空間に生じる遮音欠損を改善する技術が開示されている。しかし、この特許文献１に開示された外壁（ガラスカーテンウォール）と間仕切壁（耐火区画壁）との取り合い構造でも、特に遮音材と間仕切壁との隙間から一対のバックアップ材及びシール材を経由する経路においては、十分な遮音が達成されない。また、この特許文献１には、遮音材を外壁の面外方向の挙動に追従させるための構成への具体的な言及はなされていない。
【０００８】
本発明は上述の事柄に留意してなされたもので、その目的は、外壁の挙動に追従可能でありながら、外壁から間仕切壁への音、振動の伝達の防止と、隣室間における遮音性能の向上とを図ることができる外壁と間仕切壁との取り合い構造を提供することにある。
【課題を解決するための手段】
【０００９】
上記目的を達成するために、本発明に係る外壁と間仕切壁との取り合い構造は、建物の外壁と、厚み方向に空隙を隔てた状態で配置される一対の壁体を有する間仕切壁との取り合い構造であって、前記外壁の内側に左右に並ぶ状態で固定される一対の外壁側見切金物と、該一対の外壁側見切金物を左右両側から挟み、かつ前記外壁から離間した位置に設けられ、前記壁体が固定される一対の間仕切側見切金物と、前記一対の間仕切側見切金物から前記外壁に亘って設けられる一対のシール材と、前記一対の外壁側見切金物と前記一対の間仕切側見切金物との間に配置される一対の弾性部材とを備えたことを特徴としている（請求項１）。
【００１０】
上記外壁と間仕切壁との取り合い構造において、前記一対の間仕切側見切金物は各々、天井及び床に取り付けられた受け部材に対して、前記一対の外壁側見切金物よりも前記外壁から離間した位置において連結される連結部を有し、前記外壁側見切金物から前記連結部までの距離は、前記外壁から前記一対の間仕切側見切金物までの距離と同一かそれよりも大となっていてもよい（請求項２）。
【００１１】
上記外壁と間仕切壁との取り合い構造において、一方の前記間仕切側見切金物の連結部は他方の前記間仕切側見切金物の連結部と重なった状態で前記受け部材に連結され、二つの連結部の間には弾性シートが挟まれていてもよい（請求項３）。
【発明の効果】
【００１２】
本願発明では、外壁の挙動に追従可能でありながら、外壁から間仕切壁への音、振動の伝達の防止と、隣室間における遮音性能の向上とを図ることができる外壁と間仕切壁との取り合い構造が得られる。
【００１３】
すなわち、本願の各請求項に係る発明の外壁と間仕切壁との取り合い構造では、外壁と各間仕切側見切金物との間にシール材のみを設けることにより、外壁と各間仕切側見切金物との間を、外壁の面外方向（室内方向）への挙動を許容するクリアランスとすることができ、このクリアランスの範囲で外壁の挙動に追従可能となる。
【００１４】
また、外壁側見切金物と間仕切側見切金物との間には弾性部材が介挿されるので、外壁からの音、振動が外壁側見切金物及び間仕切側見切金物を介して間仕切壁に伝達されることも効果的に防止される。
【００１５】
また、図５に示す従前の例では、一対のシール材５２，５２を経由する経路Ｒ１、一対のシール材５３，５３を経由する経路Ｒ２における隣室間の遮音は、それぞれシール材５２，５３のみに頼ることになり十分ではなかった。しかし、本願発明では、一対のシール材の間に遮音効果を発揮する一対の外壁側見切金物が設けられるので、これら一対のシール材を経由する経路においても十分な遮音性能が得られる。
【００１６】
本願の請求項２に係る発明の外壁と間仕切壁との取り合い構造では、受け部材によって各間仕切側見切金物を固定するようにしてある。ところで、外壁に固定される外壁側見切金物から間仕切側見切金物の連結部までの距離が上記クリアランスより小さいと、外壁が面外方向（室内方向）に挙動した際に、外壁側見切金物が間仕切側見切金物の連結部に衝突してしまい、上記クリアランスの実効性が損なわれてしまう恐れがある。しかし、本願発明では、外壁側見切金物から連結部までの距離を、外壁から一対の間仕切側見切金物までの距離と同一かそれよりも大とするので、クリアランス分の外壁の挙動を確実に許容することができる。
【００１７】
図５に示す従前の例では、隣室に跨る見切金物５１が隣室間の遮音上の弱点となっていた。しかし、本願の請求項３に係る発明の外壁と間仕切壁との取り合い構造では、室内側に露出する一対の間仕切側見切金物を介して隣室に音、振動が伝わることは、一対の間仕切側見切金物の二つの連結部の間に挟み込まれた弾性シートにより防止される。
【図面の簡単な説明】
【００１８】
【図１】本発明の一実施の形態に係る外壁と間仕切壁との取り合い構造の構成を概略的に示す横断面図である。
【図２】前記外壁と間仕切壁との取り合い構造の要部の構成を概略的に示す横断面図である。
【図３】前記外壁と間仕切壁との取り合い構造における受け部材の構成を概略的に示す正面図である。
【図４】前記外壁と間仕切壁との取り合い構造の変形例を概略的に示す説明図である。
【図５】従来の外壁と間仕切壁との取り合い構造を示す横断面図である。
【発明を実施するための形態】
【００１９】
本発明の実施の形態について図面を参照しながら以下に説明する。
【００２０】
図１は、本発明の一実施の形態に係る外壁１と間仕切壁２との取り合い構造を示す横断面図であり、外壁１は、インナースキン１Ａとアウタースキン１Ｂとを有するダブルスキンタイプのガラスカーテンウォールであり、間仕切壁２は、乾式の二重壁であって、厚み方向に空隙を隔てた状態で配置される一対の壁体２Ａ，２Ａを有している。
【００２１】
そして、図１に示すように、外壁１と間仕切壁２との取り合い部に、外壁１に取り付けられる一対の外壁側見切金物３，３と、間仕切壁２の一対の壁体２Ａが固定される一対の間仕切側見切金物４，４と、一対の間仕切側見切金物４，４から外壁１に亘る一対のシール材５，５と、一対の外壁側見切金物３，３と一対の間仕切側見切金物４，４との間に配置される一対の弾性部材（本例ではゴム製のガスケット）６，６とが設けられる。
【００２２】
図２は、図１に示す取り合い構造の要部を拡大して示す横断面図であり、以下、この図をも参照しながら、各部材の構成について詳細に説明する。
【００２３】
図１、図２に示すように、一対の外壁側見切金物３，３は、外壁１の内側（室内側）に左右に並ぶ状態で固定されるものである。図２に示すように、各外壁側見切金物３は、室内外方向にクランク状に延びる二枚のプレート（本例ではスチールプレート）７，８の一部を重ねて連結（本例ではねじ締結）したものである。そして、二枚のプレート７，８のうちの室外側に位置するプレート７は、外壁１（インナースキン１Ａ）の内部に入り込んだ位置（外壁１内面よりも外側の位置）において弾性シート（例えばブチルシート）９を介して外壁１（インナースキン１Ａ）に固定（本例ではねじ締結）される。
【００２４】
図１、図２に示すように、一対の間仕切側見切金物４，４は、一対の外壁側見切金物３，３を左右両側から挟み、かつ外壁１から室内側に離間した位置に設けられるものである。各間仕切側見切金物４は、適宜に折り曲げた形状を呈するプレート（本例ではスチールプレート）によって構成されたものであり、図２に示すように、外壁１と壁体２Ａの間に位置する本体部１０と、この本体部１０及び外壁側見切金物３（プレート８）よりも外壁１から室内側に離間した位置において外壁１と平行に延びる連結部１１と、本体部１０及び連結部１１を繋ぎ壁体２Ａに沿って延びる中継部１２とを有する。
【００２５】
ここで、各間仕切側見切金物４は床付近から天井付近にまで延び、各間仕切側見切金物４の連結部１１の上部及び下部は、天井及び床に各々取り付けられた受け部材１３，１３（図２、図３参照）に連結される。受け部材１３は、図３に示すように、縦断面略Ｌ型のプレート状をした部材であって、天井または床に沿うように水平方向に延び、例えばねじ締結により天井または床に取り付けられる水平面部１４と、鉛直方向に延び間仕切側見切金物４の連結部１１が連結（例えばねじ締結）される鉛直面部１５とを有する。尚、図３には天井に取り付けられた状態の受け部材１３を示してあり、受け部材１３を床に取り付ける場合は上下逆にして用いればよい。
【００２６】
そして、一方の間仕切側見切金物４の連結部１１は、他方の間仕切側見切金物の連結部１１と重なった状態で上下の受け部材１３，１３に連結（本例ではねじ締結）され、二つの連結部１１，１１の間には弾性シート（例えばブチルシート）１６が挟まれる。
【００２７】
また、図１に示すように（特に図２と対比すれば理解されるように）、一対の外壁側見切金物３，３と上下の受け部材１３，１３の鉛直面部１５，１５とで囲まれる空間内には、吸音材（例えばロックウール）１７が配置される。ここで、一対の外壁側見切金物３，３、吸音材１７は、何れも床付近から天井付近にまで延びている。
【００２８】
以上説明した本実施形態の外壁１と間仕切壁２との取り合い構造では、外壁１の挙動に追従可能でありながら、外壁１から間仕切壁２への音、振動の伝達の防止と、隣室間における遮音性能の向上とを図ることができる。
【００２９】
すなわち、まず、図１、図２に示すように、外壁１と各間仕切側見切金物４（本体部１０）との間にはシール材５のみが設けられるだけである。従って、外壁１と各間仕切側見切金物４との間は、外壁１の面外方向（室内方向）への挙動を許容するクリアランスＣ１（図２参照）となり、クリアランスＣ１の範囲で外壁１の挙動に追従可能となっている。
【００３０】
また、外壁１に固定される外壁側見切金物３から間仕切側見切金物４の連結部１１までの距離Ｄ（図２参照）が上記クリアランスＣ１より小さいと、外壁１が面外方向（室内方向）に挙動した際に、外壁側見切金物３が間仕切側見切金物４の連結部１１に衝突してしまい、クリアランスＣ１の実効性が損なわれてしまう恐れがある。しかし、本実施形態では、各間仕切側見切金物４の中継部１２の長さや受け部材１３の鉛直面部１５の位置を適宜に設定することで、距離ＤがクリアランスＣ１と同一かそれよりも大となるようにすれば、クリアランスＣ１分の外壁１の挙動を確実に許容することができる。
【００３１】
さらに、外壁側見切金物３と間仕切側見切金物４との間には弾性部材６が介挿されるので、外壁１からの音、振動が見切金物３，４を介して間仕切壁２に伝達されることも効果的に防止される。特に、本実施形態では、弾性部材６としてガスケットを用いるので、高い遮音性能と耐久性とが得られる。尚、本例では、弾性部材６を外壁側見切金物３に接着固定してある。
【００３２】
ここで、図５に示す従前の例では、隣室に跨る見切金物５１が隣室間の遮音上の弱点となっていた。しかし、本実施形態では、室内側に露出する一対の間仕切側見切金物４，４を介して隣室に音、振動が伝わることは、両者４，４の間に挟み込まれた弾性シート１６により防止される。
【００３３】
また、図５に示す従前の例では、一対のシール材５２，５２を経由する経路Ｒ１、一対のシール材５３，５３を経由する経路Ｒ２における隣室間の遮音は、それぞれシール材５２，５３のみに頼ることになり十分ではなかった。しかし、本実施形態では、一対のシール材５，５の間に一対の外壁側見切金物３，３が遮音効果を発揮する態様で設けられているので、一対のシール材５，５を経由する経路においても十分な遮音性能が得られる。
【００３４】
本発明は、上記の実施の形態に何ら限定されず、本発明の要旨を逸脱しない範囲において種々に変形して実施し得ることは勿論である。例えば、以下のような例を挙げることができ、本明細書で挙げた変形例どうしを適宜組み合わせてもよいことは勿論である。
【００３５】
図１、図２に示す例では、外壁１をダブルスキンタイプのガラスカーテンウォールとしてあり、本発明はこのような外壁１に適用した場合に遮音性能の向上を効果的に図ることができるものであるが、これに限らず、外壁１はシングルスキンタイプのカーテンウォール等であってもよい。
【００３６】
図２に示す例では、各外壁側見切金物３，３を二枚のプレート７，８によって構成してあるが、これに限らず、例えば各外壁側見切金物３を一枚のプレートによって構成してもよく、その形状も外壁１の構造等に応じて種々変更してもよい。また、一対の外壁側見切金物３，３を別体とせずに一体としてあってもよい。
【００３７】
図２に示す例では、一方の間仕切側見切金物４の連結部１１は、他方の間仕切側見切金物の連結部１１と重なった状態で上下の受け部材１３，１３に連結され、二つの連結部１１，１１の間に弾性シート１６を挟んでいる。しかし、例えば図４に示すように、二つの連結部１１，１１を重ねずに各々上下の受け部材１３，１３に連結（例えばねじ締結）するようにしてもよく、この場合、各受け部材１３の鉛直面部１５と各連結部１１との間に弾性シート１６を挟んでもよいし、二つの連結部１１の一方と、上下の受け部材１３，１３の各鉛直面部１５との間にのみ弾性シート１６を挟むようにしてもよい。
【符号の説明】
【００３８】
１    外壁
１Ａ  インナースキン
１Ｂ  アウタースキン
２    間仕切壁
２Ａ  壁体
３    外壁側見切金物
４    間仕切側見切金物
５    シール材
６    弾性部材
７    プレート
８    プレート
９    弾性シート
１０    本体部
１１    連結部
１２    中継部
１３    受け部材
１４    水平面部
１５    鉛直面部
１６    弾性シート
１７    吸音材
５１    見切金物
５２    シール材
５３    シール材
Ｃ    クリアランス
Ｃ１  クリアランス
Ｄ    距離
Ｒ１  経路
Ｒ２  経路
Ｓ１  居室空間
Ｓ２  居室空間
【図１】
2014163110.tif 000003
【図２】
2014163110.tif 000004
【図３】
2014163110.tif 000005
【図４】
2014163110.tif 000006
【図５】
2014163110.tif 000007